(57)【要約】【課題】装着時に頂部が浮き上がることがなく、使用者の頭部にしっかりフィットさせる。【解決手段】本発明は、使用者Ｐの頭部に被装可能且つ使用者Ｐの顔が前面から露出可能なように縫製される防災ずきん１０であって、使用者Ｐの左右側頭部及び後頭部を覆うように形成されるフード部１１と、フード部１１の下方に延設されて使用者Ｐの肩部を覆うように形成される裾部１２と、使用者Ｐの顎に掛止可能なようにフード部１１の前縁部間に渡設される顎紐１３と、を備え、フード部１１と裾部１２との間に縫い目１６が設けられていることを特徴とする。【選択図】図１
2014019960.tif 000002
【特許請求の範囲】
【請求項１】
使用者の頭部に被装可能且つ使用者の顔が前面から露出可能なように縫製される防災ずきんであって、
使用者の左右側頭部及び後頭部を覆うように形成されるフード部と、
該フード部の下方に延設されて使用者の肩部を覆うように形成される裾部と、
使用者の顎に掛止可能なように前記フード部の前縁部間に渡設される顎紐と、
を備え、前記フード部と前記裾部との間に縫い目が設けられていることを特徴とする防災ずきん。
【請求項２】
前記フード部には使用者の耳に対応する位置に耳穴が設けられ、該耳穴は縦長に形成されていることを特徴とする請求項１に記載の防災ずきん。
【請求項３】
前記縫い目は、前記顎紐の取付位置から後下方に向かって傾斜するように形成されている請求項１又は２に記載の防災ずきん。
【発明の詳細な説明】
【技術分野】
【０００１】
本発明は、地震や火災等の災害時に落下物等から頭部を保護するための防災ずきんに関するものである。
【背景技術】
【０００２】
従来、日本は地震多発地域に属しており、防災に対する国民の関心が高いため、学校やその他の公共施設或いは家庭等において、予め防災用品が備えられていることが多く、この防災用品の一つとして、防災ずきんが知られている。
【０００３】
例えば、図３及び図４に示すように、従来の防災ずきん１は、使用者Ｐの左右側頭部及び後頭部を覆うフード部２と、使用者Ｐの肩部を覆う裾部３と、使用者Ｐの顎に掛止可能な顎紐４と、を備えており、使用者Ｐの頭部に被装された状態で使用者Ｐの顔が前面から露出するように形成されている。また、従来の防災ずきん１のフード部２には使用者Ｐの耳に対応する位置に円形の耳穴５が設けられており、使用者Ｐが防災ずきん１を装着した状態で周囲の音や声を聞き取ることができるようになっている。（例えば、非特許文献１参照）。
【先行技術文献】
【非特許文献】
【０００４】
【非特許文献１】ＹＡＨＯＯ！ＪＡＰＡＮショッピングサイト                    http://store.shopping.yahoo.co.jp/bousai/434017d.html
【発明の概要】
【発明が解決しようとする課題】
【０００５】
しかしながら、上記した従来の防災ずきん１では、図３に示すように、使用者Ｐが装着した時に、裾部３が使用者Ｐの肩に当たって押し上げられることにより、防災ずきん１の頂部が使用者Ｐの頭部から浮き上がってしまい、防災ずきん１がフィットせずに所定の保護機能を発揮することができないという問題がある。
【０００６】
本発明は、上記した課題を解決すべくなされたものであり、装着時に頂部が浮き上がることがなく、使用者の頭部にしっかりフィットする防災ずきんを提供することを目的とするものである。
【課題を解決するための手段】
【０００７】
上記した目的を達成するため、本発明は、使用者の頭部に被装可能且つ使用者の顔が前面から露出可能なように縫製される防災ずきんであって、使用者の左右側頭部及び後頭部を覆うように形成されるフード部と、該フード部の下方に延設されて使用者の肩部を覆うように形成される裾部と、使用者の顎に掛止可能なように前記フード部の前縁部間に渡設される顎紐と、を備え、前記フード部と前記裾部との間に縫い目が設けられていることを特徴とする。
【０００８】
この特徴によれば、使用者が防災ずきんを装着した時に、裾部が使用者の肩部に接触することで縫い目に沿って左右外側に広がり、使用者の肩部を覆うと共に、フード部の頂部が使用者の頭部から浮き上がってしまうことなく、フード部は使用者の頭部にしっかりフィットした状態で左右側頭部及び後頭部を覆うことができる。したがって、災害時に、使用者の頭部や肩部や背中等の身体部分を落下物等から確実に保護することができる。
【０００９】
また、本発明に係る防災ずきんにおいて、前記フード部には使用者の耳に対応する位置に耳穴が設けられ、該耳穴は縦長に形成されているのが好ましい。
【００１０】
この特徴によれば、防災ずきんを装着する使用者の年齢や性別等によって耳の高さが異なる場合であっても、耳穴を使用者の耳の高さに確実に合致させることができるため、防災ずきんを装着した使用者は耳穴を介して周囲の音や声をはっきりと聞くことができる。
【００１１】
また、本発明に係る防災ずきんにおいて、前記縫い目は、前記顎紐の取付位置から後下方に向かって傾斜するように形成されていてもよい。
【００１２】
この特徴によれば、使用者が防災ずきんを装着した時に、裾部の後側部分が使用者の背中に沿うように垂れ下がるため、災害時に、使用者Ｐの背中のより広い領域を落下物等から保護することができる。
【発明の効果】
【００１３】
本発明によれば、装着時に頂部が浮き上がることがなく、使用者の頭部にしっかりフィットするため、災害時に、使用者の頭部や肩部等の身体部分を落下物等から確実に保護することができる等、種々の優れた効果を得ることができる。
【図面の簡単な説明】
【００１４】
【図１】本発明の実施の形態に係る防災ずきんを使用者が装着した状態を示す斜視図である。
【図２】本発明の実施の形態に係る防災ずきんを使用者が装着した状態を示す側面図である。
【図３】従来の防災ずきんを使用者が装着した状態を示す正面図である。
【図４】従来の防災ずきんを使用者が装着した状態を示す側面図である。
【発明を実施するための形態】
【００１５】
以下、図面を参照しつつ、本発明の実施の形態に係る防災ずきんについて詳細に説明する。ここで、図１は、本発明の実施の形態に係る防災ずきんを使用者が装着した状態を示す斜視図、図２は本発明の実施の形態に係る防災ずきんを使用者が装着した状態を示す側面図である。なお、以下の説明では、本発明を、小学生などの子供用の防災ずきんとして使用した場合について例示して説明し、便宜上、上下左右の向きは使用者が防災ずきんを装着した状態を基準として説明する。
【００１６】
本発明の実施の形態に係る防災ずきん１０は、長方形状の布製の袋に綿やポリエステルなどのクッション材を入れて、使用者Ｐの頭部に被装可能且つ使用者Ｐの顔が前面から露出可能なように縫製したものである。
【００１７】
防災ずきん１０は、使用者Ｐの左右側頭部及び後頭部を覆うように形成されるフード部１１と、フード部１１の下方に延設されて使用者Ｐの肩部を覆うように形成される左右一対の裾部１２と、が一体に形成されて構成されている。
【００１８】
フード部１１は、頂部で二つ折りにして左右一対に形成されており、前面側と下面側は開口され、後面側は後縁部同士が縫合されて閉塞されている。フード部１１の前縁部の下端部には、該左右前縁部間に渡設されるように顎紐１３の両端部がそれぞれ縫着されている。顎紐１３は、ゴムバンド製であり、使用者Ｐの顎に掛止可能なように形成されている。
【００１９】
また、フード部１１の後側縁部の上端部と右側の裾部１２の後側縁部とには、掛け紐１４の上下端部がそれぞれ縫着されている。掛け紐１４は、顎紐１３と同一の材質製であることが好ましく、例えば小学生用の椅子に掛止可能なように形成されている。
【００２０】
なお、顎紐１３や掛け紐１４は、上記したゴムバンドに限定されるものではなく、例えは、布製の紐製として一端部をフード部１１に縫着し、使用者Ｐの顎や小学生用の椅子に掛止する際に互いに結束されるように形成したりすることもできる。
【００２１】
また、フード部１１には、使用者Ｐの左右の耳に対応する位置にそれぞれ耳穴１５が形成されており、耳穴１５は縦長矩形状に形成されている。なお、耳穴１５の形状は、縦長楕円形状に限定されるものではなく、縦長楕円状や、複数の小円形の穴を縦長に配置する等、全体として縦長形状を成していれば各種変形が可能である。
【００２２】
フード部１１と裾部１２との間には、縫い目（ミシン目）１６が形成されている。縫い目１６は、フード部１１の前縁部に対する顎紐１３の取付位置の直下からフード部１１の後縁部まで水平直線状に形成されており、裾部１２はこの縫い目１６に沿ってフード部１１から左右外側に折曲可能となっている。
【００２３】
また、左右いずれか一方の裾部１２の外面には、氏名、学校名、クラス、連絡先、及び血液型等を記載可能な表示部（図示省略）が縫着されている。
【００２４】
上記した構成を備えた防災ずきん１０を装着する場合、その前面側の開口が正面を向いて使用者Ｐの顔が露出するように、下面側の開口から使用者Ｐの頭部に被せる。そうすると、左右の裾部１２は、使用者Ｐの肩部に接触することで縫い目１６に沿って左右外側に広がり、使用者Ｐの肩部を覆うと共に、フード部１１は使用者Ｐの頭部にしっかりフィットした状態で左右側頭部及び後頭部を覆う。
【００２５】
このように、フード部１１と裾部１２との間に縫い目１６が形成されることにより、使用者Ｐが防災ずきん１０を装着した時に、裾部１２が使用者Ｐの肩に押し上げられて防災ずきん１０の頂部が使用者Ｐの頭部から浮き上がってしまうことがなく、フード部１１は使用者Ｐの頭部にしっかりフィットした状態で左右側頭部及び後頭部を覆うことができる。したがって、災害時に、使用者Ｐの頭部や肩部や背中等の身体部分を落下物等から確実に保護することができる。
【００２６】
また、フード部１１が使用者Ｐの頭部にしっかりフィットして顎紐１３が使用者Ｐの顎に掛止するため、使用者Ｐの頭部から防災ずきん１０が脱落するのを防止することができる。
【００２７】
また、フード１１に耳穴１５が縦長に形成されており、防災ずきん１０を装着する使用者Ｐの年齢や性別等によって耳の高さが異なる場合であっても、耳穴１５を使用者Ｐの耳の高さに確実に合致させることができるため、防災ずきん１０を装着した使用者Ｐは耳穴１５を介して周囲の音や声をはっきりと聞くことができる。
【００２８】
なお、上記した本発明の実施の形態において、縫い目１６は、水平直線状に形成されているが、これは単なる例示に過ぎず、例えば、図２に破線で示したように、顎紐１３の取付位置から後下方に向かって傾斜するように形成したり、或いは、使用者Ｐの体型に合うように湾曲させたりすることもできる。
【００２９】
この場合、使用者Ｐが防災ずきん１０を装着した時に、裾部１２の後側部分が使用者Ｐの背中に沿うように垂れ下がるため、災害時に、使用者Ｐの背中のより広い領域を落下物等から保護することができる。
【００３０】
なお、上記した本発明の実施の形態では、本発明を小学生などの子供用の防災ずきんとして使用した場合について説明したが、本発明はこの場合に限定する趣旨ではなく、幼児や大人等の防災ずきんとしても使用可能であることは言うまでもない。
【００３１】
また、上記した本発明の実施の形態の説明は、本発明に係る防災ずきんの好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００３２】
１０          防災ずきん
１１          フード部
１２          裾部
１３          顎紐
１５          耳穴
１６          縫い目
Ｐ            使用者
【図１】
2014019960.tif 000003
【図２】
2014019960.tif 000004
【図３】
2014019960.tif 000005
【図４】
2014019960.tif 000006